(57)【特許請求の範囲】
【請求項１】
トナー像を形成する画像形成部と、
前記画像形成部で形成されたトナー像が転写された記録材を加熱して、トナー像を記録材に定着する定着装置と、
前記画像形成部で使用する現像剤を収容する現像剤収容部と、
前記現像剤収容部が収容される空間の上部に配置され、前記定着装置を通過した記録材が排出される排出トレイと、
前記定着装置でトナー像が定着された記録材を前記排出トレイに排出する前に冷却する冷却ファンと、
外部から前記冷却ファンに外気を導入するダクトと、を備え、
前記排出トレイは、一部にトレイ側孔部が形成され、
前記ダクトは、一部にダクト側孔部が形成されて、前記トレイ側孔部と前記ダクト側孔部とを通じて、前記現像剤収容部が収容される空間と連通する、
ことを特徴とする画像形成装置。
【請求項２】
前記現像剤収容部は、前記画像形成部に補給する現像剤を収容している、
ことを特徴とする、請求項１に記載の画像形成装置。
【請求項３】
前記ダクト側孔部は、少なくとも前記現像剤収容部を前記ダクトに投影した長手方向の範囲内に孔を有するように形成されている、
ことを特徴とする、請求項１又は２に記載の画像形成装置。
【請求項４】
前記ダクト側孔部は、前記ダクトに投影された前記現像剤収容部の少なくとも長手方向中央部に形成されている、
ことを特徴とする、請求項３に記載の画像形成装置。
【請求項５】
前記ダクト側孔部は、前記現像剤収容部の長手方向に関して、前記現像剤収容部の長さの３０％以上５０％以下の長さの範囲に形成されている、
ことを特徴とする、請求項３又は４に記載の画像形成装置。
【請求項６】
前記ダクトは、前記ダクト側孔部と前記トレイ側孔部とが少なくとも一部で対向するように配置されている、
ことを特徴とする、請求項１ないし５のうちの何れか１項に記載の画像形成装置。
【請求項７】
前記ダクト側孔部と前記トレイ側孔部とは、少なくとも一部が前記現像剤収容部を鉛直方向上方に投影した範囲と重なるように形成されている、
ことを特徴とする、請求項１ないし６のうちの何れか１項に記載の画像形成装置。
【請求項８】
前記ダクト側孔部と前記トレイ側孔部とは、それぞれ、前記現像剤収容部の長手方向と前記長手方向と直交する方向との両方に対して複数形成された孔により構成されている、
ことを特徴とする、請求項１ないし７のうちの何れか１項に記載の画像形成装置。
【発明の詳細な説明】
【技術分野】
【０００１】
本発明は、複写機、プリンタ、ファクシミリ、これらの複数の機能を有する複合機などの画像形成装置に関する。
【背景技術】
【０００２】
トナー像を形成する画像形成部に現像剤を補給するためのトナーボトル（現像剤収容部）近傍に定着装置などの熱源が配置されていると、その熱の影響によりトナーボトル周囲の雰囲気温度が上昇する。その結果、トナーボトル内部のトナーが凝集し、画像形成装置の動作不良や画像不良が発生してしまう。その為、トナーボトルの温度上昇を抑制することが求められている。
【０００３】
例えば、トナーボトルのカバーと定着装置を支持するステイとの連結部に断熱部材を設置すると共に、本体外の空気を取り込むファンを配置し、トナーボトルに吹き付けることで冷却する構成が提案されている（例えば、特許文献１参照）。また、用紙積載部（排出トレイ）とトナーボトルとの間に本体内の熱を排気するダクトを配置し、ダクトの一部を金属で構成することで熱を反射する構成が提案されている（例えば、特許文献２参照）。
【先行技術文献】
【特許文献】
【０００４】
【特許文献１】特開２００５−３１１５５号公報
【特許文献２】特開２０１３−１９５８１０号公報
【発明の概要】
【発明が解決しようとする課題】
【０００５】
特許文献１に記載の構成の場合、トナーボトルを冷却するためのファンと断熱部材とを追加して設置しているため、製造コストが高くなってしまう。特許文献２に記載の構成の場合、ダクトの一部を金属で構成しているため、一時的な熱の反射によるトナーボトルの温度上昇の抑制は可能であるが、画像形成を長時間行った場合には、熱の一部は金属部品に吸収され、金属部品の温度が上昇する。そして、金属部品の近傍に設置されたトナーボトルの温度も上昇してしまう。
【０００６】
本発明は、このような事情に鑑み、製造コストを抑えつつ、現像剤収容部の温度上昇を長期に亙って抑制できる構成を提供する。
【課題を解決するための手段】
【０００７】
本発明は、トナー像を形成する画像形成部と、前記画像形成部で形成されたトナー像が転写された記録材を加熱して、トナー像を記録材に定着する定着装置と、前記画像形成部で使用する現像剤を収容する現像剤収容部と、前記現像剤収容部が収容される空間の上部に配置され、前記定着装置を通過した記録材が排出される排出トレイと、前記定着装置でトナー像が定着された記録材を前記排出トレイに排出する前に冷却する冷却ファンと、外部から前記冷却ファンに外気を導入するダクトと、を備え、前記排出トレイは、一部にトレイ側孔部が形成され、前記ダクトは、一部にダクト側孔部が形成されて、前記トレイ側孔部と前記ダクト側孔部とを通じて、前記現像剤収容部が収容される空間と連通することを特徴とする画像形成装置にある。
【発明の効果】
【０００８】
本発明によれば、製造コストを抑えつつ、現像剤収容部の温度上昇を長期に亙って抑制できる。
【図面の簡単な説明】
【０００９】
【図１】実施形態に係る画像形成装置の概略構成を示す斜視図。
【図２】実施形態に係る画像形成装置の概略構成を示す断面図。
【図３】実施形態に係る画像形成装置の一部を切断して冷却ファンの流路を示す斜視図。
【図４】実施形態に係る画像形成装置の概略構成の一部を切断して冷却ファンの流路を示す断面図。
【図５】実施形態に係る画像形成装置の概略構成の一部を図２の上方から見て冷却ファンの流路を示す模式図。
【発明を実施するための形態】
【００１０】
実施形態について、図１ないし図５を用いて説明する。まず、本実施形態の画像形成装置の概略構成について、図１及び図２を用いて説明する。
【００１１】
［画像形成装置］
本実施形態の画像形成装置１００は、４色の画像形成ステーションを備え、記録材としてのシート（用紙、プラスチックシートなど）にトナー像を形成する電子写真式のカラーの画像形成装置である。画像形成装置１００は、原稿読取部４１、カセット４２、シート搬送部４３、画像形成部４４、定着装置４５、操作部４６、電装部４７を有する。これら各部は、画像形成装置１００の筐体１０１内に収容されている。
【００１２】
原稿読取部４１は、画像形成装置１００の上部に配置され、原稿の読み取りを行う。画像形成部４４は、４色の画像形成ステーションとして、４つのプロセスカートリッジ３を備える。各色のプロセスカートリッジ３は、それぞれ像担持体としての感光ドラム（感光体）６を有し、感光ドラム６の周囲には、それぞれ不図示の帯電器、現像器、クリーナが配置されている。また、画像形成部４４は、各プロセスカートリッジ３の下方に配置された露光装置２を有する。なお、各プロセスカートリッジ３の構成は同じであるため、図２では、一部のプロセスカートリッジにのみ符号を付して、その他は省略している。
【００１３】
画像形成部４４の上部には、各色の感光ドラム６と接触するようにして中間転写体としての中間転写ベルト７を配置している。感光ドラム６及び中間転写ベルト７は、それぞれ回転駆動される。各感光ドラム６は、中間転写ベルト７と１次転写部でそれぞれ当接している。各１次転写部の中間転写ベルト７を挟んで各感光ドラム６とそれぞれ対向する位置には、１次転写手段としての１次転写ローラ５が配置されている。また、中間転写ベルト７は、各１次転写部の回転方向下流側で２次転写ローラ８と当接して、２次転写部を構成している。
【００１４】
また、中間転写ベルト７の上方には、画像形成部４４の一部である各色のプロセスカートリッジ３の現像器に現像剤（トナー）を補給する現像剤収容部として、４色のトナーボトル１２が配置されている。言い換えれば、各トナーボトル１２は、画像形成部４４で使用する現像剤を収容している。
【００１５】
各トナーボトル１２は、略円筒状に形成され、長手方向（円筒の中心軸に沿った方向）が画像形成装置１００の前後方向となるように、且つ、中間転写ベルト７の回転方向に並べて配置されている。なお、画像形成装置１００の前とは、後述する操作部４６が配置された正面側であり、後とは、後述する電装部４７が配置された背面側である。また、図２の最も右側のトナーボトル１２は、使用頻度の高い色（例えばブラック）のトナーが収容されており、他のトナーボトルよりも容量（外径）が大きい。
【００１６】
カセット４２は、シートＳを収納しており、シート搬送部４３は、カセット４２に収納されたシートＳを２次転写部に搬送する。このようなシート搬送部４３は、ピックアップローラ１０、レジストローラ９、反転搬送ローラ１７、排出ローラ１８などを備える。図示の例の場合、シート搬送部４３は、図２の右側で略縦方向にシートを搬送するように配置されている。
【００１７】
定着装置４５は、シートＳの搬送方向に関して２次転写部の下流側に配置されている。このような定着装置４５は、加熱ローラと対向ローラとを当接させることで定着ニップ部を形成している。加熱ローラ内には、熱源としてのヒータが配置されている。
【００１８】
操作部４６は、画像形成装置１００の正面側に配置され、操作ボタン、操作パネルなどを備えており、ユーザがこれらを操作することで、画像形成装置１００の設定などの操作を行えるものである。電装部４７は、画像形成装置１００の背面側に配置され、各部に電気を供給する電源や、各部を制御する制御部などを備えている。
【００１９】
画像形成を行う場合には、まず、感光ドラム６の表面を帯電器により帯電する。次いで、原稿読取部４１で読み取った原稿の画像情報、或いは、パーソナルコンピュータなどの外部端末から入力された画像情報に応じて露光装置２により露光して、各感光ドラム６に各色に対応した潜像を形成する。それぞれの潜像は現像器により現像され、各感光ドラム６の表面にそれぞれ各色のトナー像が形成される。
【００２０】
感光ドラム６の回転に伴い、トナー像は感光ドラム６と中間転写ベルト７とが当接する１次転写部に到達する。そして、１次転写ローラ５に１次転写バイアスが印加されることで、各感光ドラム６上のトナー像が中間転写ベルト７へ順次転写され、中間転写ベルト７上にフルカラーのトナー像が形成される。
【００２１】
一方、カセット４２に収納されたシートＳは、ピックアップローラ１０により１枚毎に送り出される。そして、シートＳは、レジストローラ９で中間転写ベルト７上のトナー像とタイミングを合わせて２次転写部に搬送され、中間転写ベルト７上のトナー像がシートＳに２次転写される。その後、トナー像が転写されたシートＳは、定着装置４５に定着ニップ部に搬送されて加熱される。即ち、定着ニップ部で熱及び圧力を受けることでトナーが溶融混色してシートＳに定着される。定着装置４５を通過してトナー像が定着されたシートＳは、定着装置４５の下流に設けられた排出ローラ１８によって排出トレイ１３に排出される。
【００２２】
排出トレイ１３は、画像形成装置１００の筐体１０１内で、各トナーボトル１２が収容される空間１２ａの上部に配置されている。排出トレイ１３の上方には、シートＳが排出される排出空間を介して原稿読取部４１が配置されている。本実施形態では、原稿読取部４１と排出トレイ１３との間にシートＳを排出する、所謂胴内排出の構成を有する。
【００２３】
なお、シートＳを両面印刷する場合には、表面にトナー像が定着されたシートＳを反転搬送路に搬送する。反転搬送路では反転搬送ローラ１７により、シートＳを反転して、再度、２次転写部に搬送する。そして、シートＳの裏面にトナー像が転写された後、定着装置４５へ搬送され、排出ローラ１８によって排出トレイ１３に排出される。
【００２４】
また、定着装置４５でトナー像が定着されたシートＳは、排出トレイ１３に排出される前に冷却ファン１５により冷却される。冷却ファン１５は、シートＳの搬送経路に関して、定着装置４５と排出ローラ１８との間に配置され、定着ニップ部を通過したシートＳに空気を吹き付けることで、定着装置４５で加熱されたシートＳを冷却する。冷却ファン１５には、ダクト１６により筐体１０１の外部から外気が導入される。即ち、ダクト１６は、一端を外部に開口し、他端を冷却ファン１５の吸入側に接続している。
【００２５】
排出トレイ１３は、上述のようにトナーボトル１２が収容される空間１２ａの上部に配置されている。このため、加熱されたシートＳが排出トレイ１３に排出され積載されると、シートＳの熱によりトナーボトル１２の温度が上昇して、トナーボトル１２内のトナーが凝集する可能性がある。したがって、本実施形態では、シートＳを冷却ファン１５により冷却することで、シートＳの熱によりトナーボトル１２が昇温することを抑制している。
【００２６】
一方、図２に示すように、トナーボトル１２が収容される空間１２ａの隣には、熱源としての定着装置４５が配置されている。空間１２ａと定着装置４５が配置される空間とは、隔壁１０２（次述する図３、図４参照）により区画されているが、定着装置４５の熱により空間１２ａが暖められて、トナーボトル１２が昇温する可能性がある。このため、本実施形態では、以下のように、トナーボトル１２が収容される空間１２ａとダクト１６とを連通させている。
【００２７】
［トナーボトルが収容される空間とダクトとの連通］
【００２８】
本実施形態のトナーボトルが収容される空間とダクトとの連通の構成について、図３ないし図５を用いて説明する。上述のように、トナーボトル１２の近傍には、隔壁１０２を介して高温になる定着装置４５が配置されている。この為、定着装置４５で発生した熱がトナーボトル１２が収容される空間１２ａの雰囲気温度を上昇させ、トナーボトル１２内のトナーの劣化を早め、トナーの凝集による画像不良等を発生させる可能性がある。
【００２９】
ここで、トナーボトル１２の温度上昇を抑える構成として、一時的に画像形成装置の生産性を落とすことで定着装置４５からの熱量を下げることが考えられる。或いは、新たにトナーボトル１２の近傍を冷却するための専用部材を追加する構成が考えられる。しかしながら、画像形成装置の生産性を一時的に落とす場合、装置としての能力低下に繋がる。また、新たにトナーボトル１２の近傍を冷却するための専用部材を設けた場合、コストアップを招くことになる。
【００３０】
このために本実施形態では、図３及び図４に示すように、排出トレイ１３の一部にトレイ側孔部１３ａを形成すると共に、ダクト１６の一部にダクト側孔部１６ａを形成している。具体的には、ダクト１６の一部は、排出トレイ１３の上方に排出トレイ１３の一部と近接対向するように配置されている。そして、互いに対向する部分に、それぞれトレイ側孔部１３ａ及びダクト側孔部１６ａを形成している。そして、トレイ側孔部１３ａとダクト側孔部１６ａとを通じて、トナーボトル１２が収容される空間１２ａとダクト１６とを連通している。上述のように、ダクト１６は、冷却ファン１５に接続しているため、空間１２ａ内の空気は、トレイ側孔部１３ａ、ダクト側孔部１６ａ及びダクト１６を通じて冷却ファン１５により吸引される。
【００３１】
なお、画像形成装置１００の筐体１０１には、図２に示すように吸気口１１ａと排気口１１ｂとが設けられ、吸気口１１ａにより筐体１０１内に外気を導入すると共に、排気口１１ｂにより筐体１０１内の空気を排気するようにしている。吸気口１１ａは、例えば、筐体１０１の定着装置４５が配置されている側とは反対側（図２の左側）の壁面に設けられている。吸気口１１ａから導入された外気は、トナーボトル１２が収容される空間１２ａにも行き渡り、上述のように冷却ファン１５に吸引される。排気口１１ｂは、例えば、定着装置４５の近傍で筐体１０１の背面側の壁面に設けられている。そして、筐体１０１内の空気を排気口１１ｂを通じて外部に排気できるようにしている。排気口１１ｂには、排気ファンを一体に設けていても良い。
【００３２】
［ダクト］
次に、ダクト１６について、より詳しく説明する。ダクト１６は、排出トレイ１３の基端側（排出ローラ１８によるシートの排出方向上流側）及び冷却ファン１５の上方で、且つ、排出ローラ１８の下方に配置されている。したがって、排出ローラ１８から排出されたシートＳは、ダクト１６の上方を通過して排出トレイ１３上に載置される。また、ダクト１６は、図３に示すように、画像形成装置１００の前後方向に配置された２枚の板状部材を組み合わせて、板状部材の間に空間を形成すると共に、この空間の後側を塞ぎ、前側を開口させている。そして、前側の開口を入口側開口１６ｂとしている。ダクト１６を構成する２枚の板状部材のうちの下側の板状部材は、冷却ファン１５の上方に位置する部分に出口側開口１６ｃを、排出トレイ１３の上方に位置する部分にダクト側孔部１６ａを、それぞれ形成している。なお、ダクト１６の形状はこれに限らず、矩形状、円筒状などであっても良い。
【００３３】
このように構成されるダクト１６は、入口側開口１６ｂを画像形成装置１００の正面側に開口し、図３ないし図５に示すように、画像形成装置１００の正面側から外気を導入するようにしている。一方、ダクト１６の出口側開口１６ｃは、図３及び図４に示すように、冷却ファン１５の上方に開口するように形成され、冷却ファン１５の吸入口に接続されている。また、入口側開口１６ｂと出口側開口１６ｃとの間のダクト１６の下面には、トレイ側孔部１３ａと連通すように設けられたダクト側孔部１６ａが形成されている。
【００３４】
したがって、図３ないし図５に示すように、冷却ファン１５の駆動により、ダクト１６内で、入口側開口１６ｂから外気を導入する外気流路３０と、トナーボトル１２が収容される空間１２ａからの空気を吸引するトナーボトル流路３１とが合流する。そして、ダクト１６内で合流した空気が出口側開口１６ｃに流れ、冷却ファン１５に吸引される。即ち、冷却ファン１５の駆動により、トナーボトル１２が収容される空間１２ａからの空気と外気とを同時に吸引することができる。冷却ファン１５は、このように吸引した空気を、定着装置４５を通過したシートＳに吹き付ける（冷却流路３２）。
【００３５】
図５を用いて、このような冷却ファン１５による空気の流れについてより詳しく説明する。外気流路３０は、入口側開口１６ｂを通じて画像形成装置１００の正面側から外気を吸入して、図５の右側にある出口側開口１６ｃに導く経路である。一方、トナーボトル流路３１は、ダクト１６の下方に位置する排出トレイ１３の更に下方のトナーボトル１２が収容される空間１２ａ内の空気を、トレイ側孔部１３ａ及びダクト側孔部１６ａを介して上方に吸入して出口側開口１６ｃに導く経路である。これらの経路はダクト１６内で合流し、合流した空気は、冷却ファン１５に吸引されて、冷却流路３２のようにシートＳに吹き付けられ、シートＳが冷却される。シートＳに吹き付けられた空気は、排気口１１ｂから排出される。
【００３６】
［トレイ側孔部とダクト側孔部］
次に、トレイ側孔部１３ａとダクト側孔部１６ａについて、より詳しく説明する。なお、以下で説明するトナーボトル１２は、最も定着装置４５に近い側（図２の最も右側）のトナーボトル１２を指すこととする。トレイ側孔部１３ａとダクト側孔部１６ａとは、それぞれ、図３に示すように、トナーボトル１２の長手方向と長手方向と直交する方向との両方に対して複数形成された孔１３０、１６０により構成されている。即ち、トレイ側孔部１３ａの孔１３０は、板状の排出トレイ１３の基端側に一部を貫通するように複数形成されている。このような孔１３０は、トナーボトル１２の長手方向に複数、長手方向と直交する方向に複数存在するように設けられている。また、孔１３０は、排出トレイ１３のトナーボトル１２の長手方向のほぼ全域に亙って設けられている。なお、トレイ側孔部１３ａは、トナーボトル１２の長手方向の長さの全域に対向する長さ以上の範囲で形成されていることが好ましいが、少なくとも、トナーボトル１２の長手方向の長さが、ダクト側孔部１６ａの長手方向の長さよりも長くする。
【００３７】
一方、ダクト側孔部１６ａの孔１６０は、ダクト１６を構成する下側の板状部材の一部を貫通するように複数形成されている。このような孔１６０も、トナーボトル１２の長手方向に複数、長手方向と直交する方向に複数存在するように設けられている。また、ダクト側孔部１６ａは、少なくともトナーボトル１２をダクト１６に投影した長手方向の範囲内に孔１６０を有するように形成されている。本実施形態では、図５に示すように、トナーボトル１２を投影した長手方向中央部にダクト側孔部１６ａが形成されている。
【００３８】
具体的には、ダクト側孔部１６ａは、トナーボトル１２の長手方向の両端部から２０％内側に寄った中央部に、３０％以上の長さ範囲で設けられている。なお、ダクト側孔部１６ａは、トナーボトル１２の長手方向に関して、トナーボトル１２の長さの３０％以上５０％以下の長さの範囲に形成されていることが好ましい。これは、ダクト側孔部１６ａの長手方向の長さが短すぎると、空間１２ａのトナーボトル１２の長手方向全域から空気を効率良く吸入しにくいためである。一方、ダクト側孔部１６ａの長手方向の長さが長すぎると、トナーボトル流路３１が乱れ、空間１２ａ内の空気を効率良く吸入できないためである。
【００３９】
また、ダクト１６は、ダクト側孔部１６ａとトレイ側孔部１３ａとが少なくとも一部で対向するように配置されている。具体的には、ダクト側孔部１６ａとトレイ側孔部１３ａとは、図４に示すように、少なくとも一部がトナーボトル１２を鉛直方向上方に投影した範囲と重なるように形成されている。これにより、トナーボトル１２の上方の暖まった空気を効率良く上方に吸入して、トナーボトル１２の昇温をより効率良く抑制できる。
【００４０】
このように本実施形態の場合には、トナーボトル１２が収容される空間１２ａの雰囲気は、冷却ファン１５により吸入され、トナーボトル流路３１を形成する。トナーボトル流路３１は外気流路３０とダクト１６内部で合流し、冷却流路３２となりシートＳに吹き付けられる。この時、外気流路３０の空気温度は、トナーボトル流路３１と合流することで暖められる。しかし、冷却ファン１５から吹き付けられる冷却流路３２の空気温度は、定着直後のシートＳの温度に比べ十分低温であり、シートＳの冷却に求められる能力に影響はない。
【００４１】
また、トナーボトル１２が収容される空間１２ａ内の空気は、上述のように冷却ファン１５により吸入されるため、空間１２ａ内に収容されるトナーボトル１２の温度上昇を抑制できる。また、トナーボトル１２の温度上昇を抑制するために、例えば特許文献２に記載されているような金属部品を用いていないため、長期に亙ってトナーボトル１２の昇温を抑えられる。このため、画像形成を長期間行ったとしても、トナーボトル１２の温度上昇が抑えられ、トナーの凝集の発生を抑制できる。
【００４２】
また、本実施形態の場合、シートＳを冷却するための冷却ファン１５によりトナーボトル１２が収容される空間１２ａの空気を吸入している。即ち、既存の構成を用いてトナーボトル１２の昇温を抑制している。また、このような構成を実現するために、ダクト１６を排出トレイ１３の近傍に配置すると共に、ダクト１６と排出トレイ１３とのそれぞれにダクト側孔部１６ａ及びトレイ側孔部１３ａを形成しているだけであり、製造コストを抑えることができる。
【００４３】
更に、トナーボトル１２の昇温時に画像形成装置の生産性を抑えなくてもこの昇温を抑制できるため、生産性を落とさずに長期に亙って画像形成を行うことができ、且つ、トナーボトル１２の昇温に伴うトナーの凝集の発生を抑制できる。以上より、安定した生産性及び画像品質を備えた画像形成装置を提供することができる。
【００４４】
［他の実施形態］
上述の説明では、図２の最も右側のトナーボトル１２の上側にトレイ側孔部１３ａを形成したが、トナーボトル及びダクトの配置によっては、他のトナーボトルの上側にトレイ側孔部１３ａを形成しても良い。また、複数のトナーボトルの上側にトレイ側孔部１３ａを形成するようにしても良い。
【００４５】
また、排出トレイ１３の下側の空間に現像剤を収容する現像器が配置される構成の場合、現像剤収容部は現像器に対応する。この場合、現像器が収容される空間の空気を、上述のようにトレイ側孔部及びダクト側孔部を通じてダクトで吸入する。
【符号の説明】
【００４６】
１２・・・トナーボトル（現像剤収容部）／１２ａ・・・空間／１３・・・排出トレイ／１３ａ・・・トレイ側孔部／１５・・・冷却ファン／１６・・・ダクト／１６ａ・・・ダクト側孔部／４４・・・画像形成部／４５・・・定着装置／１００・・・画像形成装置／１３０、１６０・・・孔／Ｓ・・・シート
【図１】
0006562772.tif 000002
【図２】
0006562772.tif 000003
【図３】
0006562772.tif 000004
【図４】
0006562772.tif 000005
【図５】
0006562772.tif 000006